(57)【要約】【課題】案内溝に沿って直線的に操作される操作具と、当該案内溝との隙間を塞ぐシール手段のシール性を向上させてキャビンを備える運転席の遮音性を高める。【解決手段】案内溝１３ａに沿って直線的に操作される操作具９に対し、該操作具９の外周面に密着しながら案内溝１３ａを塞ぐシール手段Ｓを備える操作具案内溝のシール構造であって、該シール手段Ｓを弾性体１５と、この弾性体１５の上に重着した弾性変形可能な発泡体１６，１６とで構成して、キャビンを備える運転席の遮音性を高めた。【選択図】図４
2006313396.tif 000002
【特許請求の範囲】
【請求項１】
案内溝（１３ａ）に沿って直線的に操作される操作具（９）に対し、該操作具（９）の外周面に密着しながら案内溝（１３ａ）を塞ぐシール手段（Ｓ）を備える操作具案内溝のシール構造であって、前記シール手段（Ｓ）を、弾性体（１５）と該弾性体（１５）の上に重着する弾性変形可能な発泡体（１６，１６）とで構成したことを特徴とする操作具案内溝のシール構造。
【発明の詳細な説明】
【技術分野】
【０００１】
本発明は、農業用トラクタの主変速レバーや副変速レバー等のように、案内溝に沿って直線的に操作される操作具と当該案内溝との隙間（開口部）を塞ぐシール構造に関する。
【背景技術】
【０００２】
従来、農業用トラクタの運転席とフェンダーの間に配置される主変速レバーや副変速レバー等のように、案内溝に沿って直線的に操作される操作具として、例えば、ステップに操作具を貫装する案内溝を形成すると共に、この案内溝上に、操作具の複数の切替位置穴と、これらの切替位置穴を繋ぐスリットを備えるゴム板製の防泥弾性体を添設し、該防泥弾性体を押え板を介して固定することによって、当該操作具のガイド機能を持たせると共に切替操作位置の明確化を図り、更に前記案内溝から機体下方の泥水等がステップ上面に吹き出すことを防止するように構成したものが知られている（特許文献１参照。）。
【特許文献１】実開昭５２−１６０９３０号公報（第２頁−第４頁、第５図）
【発明の開示】
【発明が解決しようとする課題】
【０００３】
しかし、上述した従来のものでは、操作具の切替操作位置を明確化するために、ゴム製の防泥弾性板に形成した複数の切替位置穴のうち、当該操作具が位置しない方の切替位置穴から機体下方の泥水等がステップ上面に吹き出すことがあることから、運転席側への防塵性を十分に保つことができないといった不具合を有していた。
【課題を解決するための手段】
【０００４】
本発明は、上記課題を解決することを目的としたものであり、案内溝に沿って直線的に操作される操作具に対し、該操作具の外周面に密着しながら案内溝を塞ぐシール手段を備える操作具案内溝のシール構造であって、前記シール手段を、弾性体と該弾性体の上に重着する弾性変形可能な発泡体とで構成したことを特徴としている。
【発明の効果】
【０００５】
本発明によれば、操作具案内溝のシール手段を、弾性体と該弾性体の上に重着する弾性変形可能な発泡体とで構成したことによって、操作具の直線的な操作が繰り返しなされても、当該操作具の外周面に密着する弾性体により運転席側への遮音性が保たれ、更に、弾性体の上に重着した弾性変形可能な発泡体によって運転席側の防塵性を保つことが可能で、特にキャビンを備える農業用トラクタ等においては、運転席の気密性を二重に高めることができる。
【発明を実施するための最良の形態】
【０００６】
次に、本発明の実施の形態について、図面に基づいて説明する。図１は、農業用トラクタ１の斜視図であって、この農業用トラクタ１は、左右の前輪２及び後輪３を有する機体４の前部に、図示しないエンジン及びラジエータ等からなる原動機部をボンネット５で覆った状態で配設すると共に、その後方に運転席を始め、各種の操作レバーや各種のスイッチ類等を備えた運転操縦部６を囲繞するキャビン７を備えている。
【０００７】
そして、図示しない運転席と左側フェンダー８との間のスペースには、図２に示すように走行の変速操作具である主変速レバー９と副変速レバー１０とを、詳細は後述する案内溝１３ａ，１３ｂに沿って図示矢印Ａ，Ｂ方向に直線的に操作可能に配置している。
【０００８】
更に詳しくは、キャビン７の下部構成部材であって運転席を支持するシートフレーム１２によって、主変速レバー９に連係して回転操作される走行変速装置のロータリバルブ、
及び図示しないミッションケースの上方が覆われており、当該シートフレーム１２には、
図３に示すように主変速レバー９と副変速レバー１０の基端部側を挿通させる縦長の大穴１２ａ，１２ｂを形成している。
【０００９】
また、シートフレーム１２の上面には、両変速レバー９，１０用の縦長の案内溝１３ａ，１３ｂを形成した中間ガイドプレート１３をボルト１４，・・を用いて取り付けてある。そして、主変速レバー９の基端部を構成するプレート９ａの外周面に密着するスリット状の溝１５ａを設けたゴム板製の弾性体１５を、中間ガイドプレート１３にその案内溝１３ａに臨むように貼着すると共に、更にこの弾性体１５の上に、前記プレート９ａの外周面に左右から密着するスポンジ等の弾性変形可能な発泡体１６，１６を重着することによって、主変速レバー９の案内溝１３ａを塞ぐシール手段Ｓを構成している。
【００１０】
即ち、上述の如くシール手段Ｓを構成するゴム板製の弾性体１５は泥水の遮断性や遮音性に優れ、またスポンジ等の弾性変形可能な発泡体１６，１６は主変速レバー９に密着して防塵効果を発現するので、特にキャビン７を備える農業用トラクタ１等においては、図４に示すように、先ず機体４下方の泥水等が案内溝１３ａから吹き出すことを弾性体１５により防止すると共に、エンジン音や耕耘ロータリ等の作業機の作動音が、キャビン７に侵入しないように遮断し、更に当該弾性体１５の上に重着した弾性変形可能な発泡体１６，１６によって、機体４下方からのキャビン７内への塵埃の侵入を防止することができるようになっており、運転席の気密性を二重に高めることができる。
【００１１】
また、副変速レバー１０は、その基端部の外周面に左右から密着するスポンジ等の弾性変形可能な発泡体１７，１７を、中間ガイドプレート１３の案内溝１２ｂの上面に貼着することによって、当該副変速レバー１０と案内溝１２ｂとの隙間を常時閉塞するように構成している。
【００１２】
そして、中間ガイドプレート１３の上方には、シートフレーム１２と所定間隔ｄを存するレバーガイド１８が、当該シートフレーム１２にボルト１９，・・を用いて取り付けてあり、このレバーガイド１８に設けた縦長の案内溝１８ａ，１８ｂから両変速レバー９，１０の把持部を突出させると共に、中間ガイドプレート１３の縦長の案内溝１３ａ，１３ｂとレバーガイド１８の縦長の案内溝１８ａ，１８ｂに沿って、両変速レバー９，１０を直線的に操作することができるようになっている。
【図面の簡単な説明】
【００１３】
【図１】農業用トラクタの斜視図。
【図２】変速レバーの構成を示す側断面図。
【図３】変速レバーの案内溝のシール構造を示す斜視図。
【図４】図２におけるＣ−Ｃ断面図。
【符号の説明】
【００１４】
９      操作具
１３ａ  案内溝
１５    弾性体
１６    発泡体
Ｓ      シール手段
【図１】
2006313396.tif 000003
【図２】
2006313396.tif 000004
【図３】
2006313396.tif 000005
【図４】
2006313396.tif 000006